(57)【要約】      （修正有）【課題】ＳＣＲ調光器を使用するのに適した新規な蛍光ランプ安定器、及びこの安定器を使用して無段階の調光と安定的な調光効果を得る蛍光ランプ、特に小型の蛍光ランプを提供する。【解決手段】通常のＳＣＲ調光器による無段階調光を可能とする蛍光ランプであって、フィルタ及び整流回路１、ＤＣ高電圧安定化回路２、電圧信号検出及び周波数制御回路６、ランプ負荷４、ランプ電流フィードバック回路５、及び電圧信号サンプリング回路３を含み、それによりシリコン制御整流器の導通位相角の変化に応じてランプの力率と輝度を変化させる。本発明は調光動作における不連続性、不安定性の問題を解決し、特に小型の蛍光ランプに組込むのに最適である。【選択図】図１
2008270173.tif 000002
【特許請求の範囲】
【請求項１】
フィルタ及び整流回路（１）；
前記フィルタ及び整流回路（１）に接続されたＤＣ高電圧安定化回路（２）；
前記ＤＣ高電圧安定化回路（２）に接続された電圧信号検出及び周波数制御回路（６）；
前記電圧信号検出及び周波数制御回路（６）に接続されたランプ負荷（４）；及び
前記ランプ負荷（４）と前記電圧信号検出及び周波数制御回路（６）との間に接続されたランプ電流フィードバック回路（５）；
を含む通常のＳＣＲ調光器による無段階調光を達成するのに適合した蛍光ランプであって、
更に、前記フィルタ及び整流回路（１）と前記電圧信号検出及び周波数制御回路（６）との間に接続された電圧信号サンプリング回路（３）を含み、前記電圧信号サンプリング回路（３）は、前記ＳＣＲ調光器の導通位相角の変化を検出し変換することで、前記電圧信号検出及び周波数制御回路（６）の出力或いはランプ負荷（４）の動作電流と力率とを対応させて変化させるように構成されていることを特徴とする蛍光ランプ。
【請求項２】
前記電圧信号サンプリング回路（３）は、
直列接続された複数の第１の抵抗（Ｒ２、Ｒ７、Ｒ３）を含み、前記第１の抵抗（Ｒ３）はそれぞれ、
第１のキャパシタ（Ｃ４）に並列に接続され、
第１のツエナー・ダイオード（Ｚ１）と第２の抵抗（Ｒ４）に直列に接続され、
第１のダイオード（Ｄ６）と第３の抵抗（Ｒ６）に直列に接続され、
第２のツエナー・ダイオード（Ｚ３）に並列に接続され、
第４の抵抗（Ｒ１１）と第２のキャパシタ（Ｃ９）に直列に接続され、及び
一端が前記第４の抵抗（Ｒ１１）と前記第２のキャパシタ（Ｃ９）との接続点に接続された第５の抵抗（Ｒ１６）に接続されることを特徴とする請求項１に記載の蛍光ランプ。
【請求項３】
前記ＤＣ高電圧安定化回路（２）は、直列接続された２個のダイオード（Ｄ１、Ｄ２）と、一端が前記直列接続された２個のダイオード（Ｄ１、Ｄ２）の接続点に接続されたキャパシタ（Ｃ２４）とを含むことを特徴とする請求項１記載の蛍光ランプ。
【請求項４】
前記電圧信号検出及び周波数制御回路（６）は、集積回路ブロック（Ｕ１）及び前記集積回路ブロックの各ピンに対応して接続された周辺素子を含むことを特徴とする請求項１記載の蛍光ランプ。
【請求項５】
前記集積回路ブロック（Ｕ１）は、前記集積回路ブロック（Ｕ１）の電圧信号検出ピンの電圧値に応じて、前記集積回路ブロック（Ｕ１）の出力信号周波数を変更するためのプログラムを含むことを特徴とする請求項４記載の蛍光ランプ。
【発明の詳細な説明】
【技術分野】
【０００１】
本発明は、無段階調光が可能な蛍光ランプの安定器に関し、より詳細には、蛍光ランプ、特に小型の蛍光ランプを、通常のシリコン制御整流器を使用して無段階に調光できるようにするための蛍光ランプ用安定器に関する。
【背景技術】
【０００２】
調光可能な蛍光ランプが旧来より切望されている。通常のシリコン制御整流（ＳＣＲ）調光器を使用して調光可能な白熱電球と異なり、蛍光ランプは非線型負荷であり負性抵抗を示すため通常のＳＣＲでは調光はできない。家庭用に市販されている調光器には一般にＴＲＩＡＣが使用されており、その性質上、トリガされた後に導通状態を維持するために保持電流を必要とする。この特性は白熱ランプのような抵抗性負荷の調光には非常に適するが、蛍光ランプのような容量性負荷には適さない。これは、そのような調光器を使用しての調光動作時に、不連続、不安定になってチラツキが生じ、これらが照明効果にも蛍光ランプの寿命にも好ましくない影響を及ぼすためである。このように、調光器を使用して調光効果を得たい場合には、消費電力が大きく寿命の短い白熱電球を使用せざるを得ない。
【発明の開示】
【発明が解決しようとする課題】
【０００３】
本発明の目的は、ＳＣＲ調光器を使用するのに適した新規な蛍光ランプ安定器、及びこの安定器を使用して無段階の調光と安定的な調光効果を得る蛍光ランプ、特に小型の蛍光ランプを提供することにある。
【課題を解決するための手段】
【０００４】
従って、本発明によれば、通常のシリコン制御整流調光器を使用した無段階調光器に適した蛍光ランプが提供されるが、それは：
フィルタ及び整流回路、
前記フィルタ及び整流回路に接続されたＤＣ高電圧安定化回路、
前記ＤＣ高電圧安定化回路に接続された電圧信号検出及び周波数制御回路、
前記電圧信号検出及び周波数制御回路に接続されたランプ負荷、及び
前記ランプ負荷と前記電圧信号検出及び周波数制御回路との間に接続されたランプ電流フィードバック回路、を含み、
更に、前記フィルタ及び整流回路（１）と前記電圧信号検出及び周波数制御回路（６）との間に接続された電圧信号サンプリング回路（３）を含み、前記電圧信号サンプリング回路（３）は、前記ＳＣＲ調光器の導通位相角の変化を検出し変換することで、前記電圧信号検出及び周波数制御回路（６）の出力或いはランプ負荷（４）の動作電流と力率とを対応させて変化させるように構成されていることを特徴とする。
【０００５】
本発明の一実施形態によれば、電圧信号サンプリング回路は：
直列接続された複数の第１の抵抗を含み、前記複数の第1の抵抗の一つは、平行に、
第１のキャパシタ、
第１のツエナー・ダイオードと第２の抵抗に直列に接続され、
第１のダイオードと第３の抵抗に直列に接続され、
第２のツエナー・ダイオードに並列に接続され、
第４の抵抗と前記第２のキャパシタに直列に接続され、及び、
一端が前記第４の抵抗と前記第２のキャパシタとの接続点に接続された第５の抵抗に接続されることを特徴とする。
【０００６】
本発明の一実施形態によれば、前記ＤＣ高電圧安定化回路は、２個の直列接続されたダイオードと、一端が前記直列接続された２個のダイオードの接続点に接続されたキャパシタとを含む。
【０００７】
本発明の他の実施形態によれば、電圧信号検出及び周波数制御回路は集積回路ブロック及び前記集積回路ブロックの各ピンに対応して接続された各種周辺素子を含む。
【０００８】
好ましくは、前記集積回路ブロックは、前記集積回路ブロックの電圧信号検出ピンの電圧値に応じて、前記集積回路ブロックの出力信号周波数を変化させるためのプログラムを含み、それによりランプ負荷の動作周波数及び輝度を線型的に変化できる。
【０００９】
より詳細には、電圧信号サンプリング回路は、ＳＣＲ調光器より発生される電圧変化信号を集積回路ブロックＵ１の電圧信号検出ピンに供給し、次いで集積回路ブロックＵ１は、その出力振動周波数を、電圧信号検出ピンにおける電圧レベルに応じて対応して変化させ、それにより、出力の力率を変化させて、蛍光ランプのランプ負荷の出力を調整する。
【発明の効果】
【００１０】
本発明によれば、ＳＣＲ調光器の導通角が最大値からある特定値に変化し、その後にその特定値から最大値に戻る場合、それはランプ負荷が最大輝度の動作状態から相対的に低い輝度の動作状態に移行し、その後に最大輝度の動作状態まで線型的に戻る、という動作サイクルと見なされ、それにより、蛍光ランプの無段階調光が実現できる。
【００１１】
本発明による蛍光ランプは、調光効果のためにＳＣＲ調光器が備え付けられている色々な場所において、比較的に消費電力が大きく寿命が短い白熱ランプに広く取って代わることができ、使用する電子部品も小型で低消費電力のもののみなので、より経済的で環境保護にも有利である。
【発明を実施するための最良の形態】
【００１２】
［実施例］
図１を参照すると、通常のシリコン制御整流器とそのための安定器を用いて無段階調光可能とした本発明による蛍光ランプが示されており、フィルタ及び整流回路１、ＤＣ高電圧安定化回路２、電圧信号サンプリング回路３、ランプ負荷４、ランプ電流フィードバック回路５、及び電圧信号検出及び周波数制御回路６を含む。
【００１３】
この実施例によれば、フィルタ及び整流回路１はπフィルタ回路を含み、それにより、接続されたＡＣ電源からの高周波の干渉波をフィルタしてＡＣ入力をＤＣ電圧に変換する。
【００１４】
フィルタ及び整流回路１の出力端はＤＣ高電圧安定化回路２の入力端に接続され、その出力端はさらに電圧信号検出及び周波数制御回路６に接続され、安定したＤＣ高電圧を電圧信号検出及び周波数制御回路６の集積回路ブロックＵ１に供給する。
【００１５】
ＤＣ高電圧安定化回路２のフィードバック端は電圧信号検出及び周波数制御回路６の出力端に接続され、それにより、その高周波エネルギ出力をＤＣ高電圧安定化回路２のエネルギ蓄積キャパシタＣ３にフィードバックする。
【００１６】
ＤＣ高電圧安定化回路２は、直列接続された２個のダイオードＤ１、Ｄ２と、一端が直列接続された２個のダイオードＤ１、Ｄ２の接続点に接続され、他端が電圧信号検出及び周波数制御回路６のキャパシタＣ２０に接続されたキャパシタＣ２４と、を含み、それにより、ランプ負荷４とキャパシタＣ２０との接続点からの高周波エネルギを得て、その高周波エネルギをダイオードＤ２によって整流した後にエネルギ蓄積キャパシタＣ３に供給する。
【００１７】
電圧信号サンプリング回路３はＳＣＲ調光器の導通位相角の変化を電圧信号に変換し、そのような信号を集積回路ブロックＵ１の電圧検出ピンＣＳ＋に分配する。電圧信号サンプリング回路３は、複数の抵抗Ｒ２、Ｒ３、Ｒ４、Ｒ６、Ｒ７、Ｒ１１、Ｒ１６、キャパシタＣ４、Ｃ９、ダイオードＤ６、及び２個のツエナー・ダイオードＺ１、Ｚ３を含み、図示したように、その入力端はフィルタ及び整流回路１の出力端に接続され、またその出力端は集積回路ブロックＵ１の電圧検出ピン（ピン８）ＣＳ＋に接続される。フィルタ及び整流回路１の出力端の電圧は抵抗Ｒ２、Ｒ７を介して降圧され、抵抗Ｒ３により分圧されてキャパシタＣ４を充電する。調光に必要な位相角信号は、分岐された電圧がＣ４、Ｚ１、Ｒ４、Ｄ６、Ｒ６、Ｚ３、及びＲ１６を通って処理された後、キャパシタＣ９においてサンプリングされる。次いで、その信号は集積回路ブロックU１の電圧検出ピンＣＳ＋に供給される。
【００１８】
図示したように、ランプ電流フィードバック回路５は抵抗Ｒ１５、Ｒ１９、キャパシタＣ２７、及び２個のダイオードＤ３、Ｄ４を含む。
【００１９】
電圧信号検出及び周波数制御回路６は、動作周波数を制御し、高周波信号を発生する集積回路ブロックＵ１と、それに関連した周辺素子を含むが、それらは、抵抗、キャパシタ、ダイオード及びツエナー・ダイオードからなり、その集積回路ブロックの仕様に記載されているピン接続の求めに従って接続される。集積回路ブロックＵ１は、電圧信号サンプリング回路３の出力端と接続された電圧信号検出ピンＣＳ＋を含み、それにより、集積回路ブロックＵ１は、有効な調光位相角信号が検出された後にその出力周波数を線型的に変化させることができる。発振の後、出力信号はランプ負荷の安定的な動作を可能とする。このようにして、集積回路ブロックＵ１の出力信号の周波数が変化すると、ランプ負荷４の動作周波数及び輝度が変更され、これにより、調光動作が実現される。
【００２０】
本発明による電圧信号サンプリング回路３及び電圧信号検出及び周波数制御回路６は、サンプリング箇所にて得られるＤＣ正電圧の実効値とＳＣＲ調光器の導通位相角とが反比例する関係を利用している。つまり位相角が増加／減少するとそれに応じて電圧信号サンプリング回路３の出力電圧が減少／増加する。このように、集積回路ブロックＵ１の電圧信号検出ピンの電圧が減少／増加するのに応じてその出力周波数が増加／減少することにより、ランプ負荷５の動作電流又は動作周波数を線形的に変化させて無段階に調光することができる。
【００２１】
更に、ＤＣ高電圧安定化回路２は、電圧信号検出及び周波数制御回路６により発生される高周波電気エネルギをエネルギ蓄積キャパシタＣ３にフィードバックして、ある所定範囲の周波数変調の間にＤＣ高電圧が急激に低下しないようするために使用されそれにより、ランプ負荷４のより高信頼、高安定な動作を可能となる。
【００２２】
上述した電圧信号サンプリング回路３及び電圧信号検出及び周波数制御回路６は、特に蛍光ランプの無段階調光を可能とするために図示したように設計されたものだが、それぞれに対応する同等機能の他の回路と補完し合うことによっても、使用するＳＣＲ調光器のプログラムやパラメータを適切にセッティングすることにより、安定的、線型的でチラツキの無い無段階調光を得ることができる。
【００２３】
本発明の電圧信号検出及び周波数制御回路６は、主にＳＣＲ調光器の導通位相角を特定し、対応する調光制御信号を、集積回路ブロックＵ１を使用して発生させ、それにより、簡単な構成で安定的な調光性能が得られ、特に小型の蛍光ランプに使用するのに適している。
【００２４】
上記の実施例は単なる一例であって限定的な例ではなく、以上に述べた思想及び教示に従って当業者が論理解析、演繹、或いは限られた実験を通じて得た他の如何なる技術的な解決策も、以下に示す本発明の請求項の範囲に含まれるものであることを理解されたい。
【図面の簡単な説明】
【００２５】
【図１】図１は、通常のシリコン制御整流調光器とその安定器を用いて無段階調光可能とした蛍光ランプの回路図である。
【図１】
2008270173.tif 000003
【外国語明細書】
Stepless Dimming Fluorescent Lamp and Ballast Thereof
TECHNICAL FIELD
The present invention relates to a fluorescent lamp ballast capable of stepless dimming, and more particularly to a fluorescent lamp ballast adapted for enabling a fluorescent lamp and particularly a compact fluorescent lamp to effect dimming steplessly with a regular silicon controlled rectifier dimmer.
BACKGROUND OF THE INVENTION
A dimmable fluorescent lamp is desired by the public for a long time. Unlike an incandescence lamp which can effect dimming with a common silicon controlled rectifier (SCR) dimmer, a fluorescent lamp is a nonlinear load and exhibits a negative resistance characteristic such that it cannot effect dimming with the regular SCR dimmer. In the available domestic and commercial dimmers a TRIAC is usually employed, and a characteristic of which is the requirement of a holding current for maintaining the on state thereof after it has been triggered. The characteristic suits the operation modes of a resistive load such as an incandescence lamp so well but being undesired by a capacitive load such as a fluorescent lamp, for the reason that blinking might occur owing to the discontinuity and instability in course of dimming operation while such dimmers are employed, which in turns has an adverse effect on the illumination effect and the life span of the fluorescent lamp. In this way, the incandescence lamp having high power consumption and short lifespan is the only choice for those who want to use a dimmer to enjoy dimming function and effect.
SUMMARY OF THE INVENTION
An object of the present invention is to provide a novel fluorescent lamp ballast adapted for use with a SCR dimmer, and a fluorescent lamp and particularly a compact fluorescent lamp making use of the ballast, which is capable of effecting stepless dimming and providing a stable dimming effect.
Accordingly, a fluorescent lamp adapted for effecting stepless dimming with a regular silicon controlled rectifier dimmer is provided by the present invention, which comprises:
a filter and rectifier circuit; 
a DC high voltage stabilizing circuit coupled with the filter and rectifier circuit; 
a voltage signal detection and frequency control circuit coupled with the DC high voltage stabilizing circuit; 
a lamp load coupled with the voltage signal detection and frequency control circuit; and 
a lamp current feedback circuit coupled between the lamp load and the voltage signal detection and frequency control circuit; 
characterized in that it further comprises a voltage signal sampling circuit coupled between the filter and rectifier circuit and the voltage signal detection and frequency control circuit, which is configured to detect and convert a variation in conduction angle of the SCR dimmer, so as to correspondingly change output of the voltage signal detection and frequency control circuit or working current and power factor of the lamp load.
According to an embodiment of the present invention, the voltage signal sampling circuit comprises 
a plurality of first resistors in series connection, wherein one of the plurality of first resistors is respectively connected in parallel with 
a first capacitor, 
a first zener diode and a second resistor in series connection, 
a first diode and a third resistor in series connection, 
a second zener diode, 
a fourth resistor and a second capacitor in series connection; and 
a fifth resistor having its one end coupled with a junction point between the fourth resistor and the second capacitor; wherein the second capacitor is configured to provide a output voltage for the voltage signal sampling circuit.
According to an embodiment of the present invention, the DC high voltage stabilizing circuit comprises two serially connected diodes and a capacitor having its one end coupled with a junction point between the two serially connected diodes.
According to another embodiment of the present invention, the voltage signal detection and frequency control circuit comprises an integrated circuit block and various peripheral devices coupled correspondingly at respective pins of the integrated circuit block. Preferably, the integrated circuit block comprises a program by which output signal frequency of the integrated circuit block is altered correspondingly in response to a voltage value at a voltage signal detection pin of the integrated circuit block, thereby changing linearly the working frequency and luminous intensity of the lamp load. To be specific, the voltage signal sampling circuit provides a voltage variation signal generated by the SCR dimmer to the voltage signal detection pin of the integrated circuit block U1, and then the integrated circuit block U1 change correspondingly its output oscillation frequency in response to the level of voltage at the voltage signal detection pin, whereby changing the output power factor to regulate the output of the lamp load of the fluorescent lamp. According to the present invention, when the conduction angle of the SCR dimmer is changed from the maximum value to a specific value and then back to the maximum value from the specific value, it will be regarded as an operation cycle during which the lamp load will be correspondingly migrated from a working state of highest luminous intensity to a working state of relatively low luminous intensity and then back to the working state of the highest luminous intensity in a linear manner, whereby a linear stepless dimming of the fluorescent lamp is realized.
A fluorescent lamp according to the present invention can be adapted widely to replace the incandescence lamp having relative high power consumption and short lifespan in various locations where a SCR dimmer is installed for dimming effect, and which is more economical and favourable for environmental conservation as it employs only those electronic elements being compact in size and low in power consumption.
BRIEF DESCRIPTION OF THE DRAWINGS
Figure 1 is a circuit diagram of a fluorescent lamp capable of effecting stepless dimming with a regular silicon controlled rectifier dimmer and the ballast thereof.
DETAILED DESCRIPTION OF THE PREFERRED EMBODIMENTS
Referring to Figure 1, a fluorescent lamp capable of effecting stepless dimming with a regular silicon controlled rectifier dimmer in accordance with the present invention is illustrated, which comprises a filter and rectifier circuit 1, a DC high voltage stabilizing circuit 2, a voltage signal sampling circuit 3, a lamp load 4, a lamp current feedback circuit 5, and a voltage signal detection and frequency control circuit 6.
According to the embodiment, the filter and rectifier circuit 1 comprises a π filter circuit whereby filtering high frequency interference waves from coupled AC power source and converting AC input voltage into DC voltage. 
The output end of the filter and rectifier circuit 1 couples with the input end of the DC high voltage stabilizing circuit 2 having its output end connected to the voltage signal detection and frequency control circuit 6 for supplying a stable DC high voltage to the integrated circuit block U1 of the voltage signal detection and frequency control circuit 6 thereof. The feedback end of the DC high voltage stabilizing circuit 2 is connected to the output end of the voltage signal detection and frequency control circuit 6 whereby feeding back the high frequency energy output thereof into a energy storage capacitor C3 of the DC high voltage stabilizing circuit 2. The DC high voltage stabilizing circuit 2 comprises two serially connected diodes D1, D2 and a capacitor C24 having its one end coupled with a junction point between the two serially connected diodes D1, D2 and its another end coupled with a capacitor C20 of the voltage signal detection and frequency control circuit 6 whereby to receive high frequency energy from a junction point in between the lamp load 4 and the capacitor C20, and the high frequency energy is fed into the energy storage capacitor C3 after being rectified by the diode D2.  
The voltage signal sampling circuit 3 converts a variation in conduction phase angle of the SCR dimmer into a voltage signal and delivers such signal to a voltage detection pin CS+ of an integrated circuit block U1. The voltage signal sampling circuit 3 might comprise a plurality of resistors R2, R3, R4, R6, R7, R11, R16, capacitors C4, C9, a diode D6 and two zener diodes Z1, Z3; as shown in the figure, the input end of which couples with the output end of the filter and rectifier circuit 1 while its output end being connected to the voltage detection pin (pin 8) CS+ of the integrated circuit block U1. The voltage at the output end of the filter and rectifier circuit 1 is stepped down via resistors R2, R7, and then it is divided through the resistor R3 and charges up the capacitor C4. A required phase angle signal for dimming can be sampled at capacitor C9 after the divided voltage pass through and being processed by C4, Z1, R4, D6, R6, Z3, R11, and R16; and the signal is then delivered to the voltage detection pin CS+ of the integrated circuit block U1.
As can be seen, the lamp current feedback circuit 5 comprises resistors R15, R19, a capacitor C27 and two diodes D3, D4.
The voltage signal detection and frequency control circuit 6 comprises the integrated circuit block U1 capable of controlling the working frequency and generating high frequency signals, and its associated peripheral devices, which consist of resistors, capacitors, diodes and zener diodes, being connected according to the requirements on the connection of the pins as stated in the specification of the integrated circuit block. The integrated circuit block U1 comprises the voltage signal detection pin CS+ coupled with the output end of the voltage signal sampling circuit 3, whereby the integrated circuit block U1 can change linearly the frequency of its output signal after a valid dimming phase angle signal is detected. After oscillation, the output signal enables the stable operation of the lamp load 4. In this way, when the frequency of output signal of the integrated circuit block U1 is altered, the working frequency and the luminous intensity of the lamp load 4 will be changed whereby the dimming operation is realized.
The voltage signal sampling circuit 3 and the voltage signal detection and frequency control circuit 6 according to the present invention make use of the inverse proportional relationship between the effective value of the DC pulse voltage obtained at sampling point and the conduction phase angle of the SCR dimmer, which means the output voltage of the voltage signal sampling circuit 3 will be correspondingly decreased / increased when the phase angle is increased / decreased. In this way, the working current or frequency of the lamp load 5 can be linearly altered to effect stepless dimming while the output frequency of U1 is increased / decreased along with the decrease / increase of the voltage at the voltage signal detection pin of the integrated circuit block U1.
Further, the DC high voltage stabilizing circuit 2 is employed to feed back the high frequency electric energy generated by the voltage signal detection and frequency control circuit 6 into the energy storage capacitor C3 for ensuring the DC high voltage will not drop dramatically during the frequency modulation of a specific range, thereby enabling the lamp load 4 to be operated in a more reliable and stable manner. 
The foregoing voltage signal sampling circuit 3 and the voltage signal detection and frequency control circuit 6 as shown are designed specifically for effecting the stepless dimming of the fluorescent lamps, they might be complementary to each other or cooperate with other corresponding and functionally equivalent circuits such that a stable, linear and flicker-free stepless dimming can be effected with a SCR dimmer by setting an appropriate program and parameters thereof.
The voltage signal detection and frequency control circuit 6 of the present invention identifies mainly the conduction phase angles of the SCR dimmer and generates corresponding dimming control signals by making use of the integrated circuit block U1, thereby it is simple in configuration, stable in dimming performance and particularly adapted for use in a compact fluorescent lamp.
It should be understood that the above embodiment is merely an exemplary but not limitative example, while any other technical solutions obtained through logical analysis, deduction or limited experiments made by a person skilled in the art in accordance with the conception and teachings set forth hereinbefore shall all fall within the scope of the following claims of the present invention.
What is claimed is:
1. A fluorescent lamp adapted for effecting stepless dimming with a regular SCR dimmer, comprising 
a filter and rectifier circuit (1); 
a DC high voltage stabilizing circuit (2) coupled with the filter and rectifier circuit (1); 
a voltage signal detection and frequency control circuit (6) coupled with the DC high voltage stabilizing circuit (2); 
a lamp load (4) coupled with the voltage signal detection and frequency control circuit (6); and 
a lamp current feedback circuit (5) coupled between the lamp load (4) and the voltage signal detection and frequency control circuit (6); 
characterized in that it further comprises a voltage signal sampling circuit (3) coupled between the filter and rectifier circuit (1) and the voltage signal detection and frequency control circuit (6), which is configured to detect and convert a variation in phase conduction angle of the SCR dimmer, so as to correspondingly change output of the voltage signal detection and frequency control circuit (6) or working current and power factor of the lamp load (4).
2. A fluorescent lamp as claimed in claim 1, wherein the voltage signal sampling circuit (3) comprises 
a plurality of first resistors (R2, R7, R3) in series connection, wherein the first resistor (R3) is respectively connected with 
a first capacitor (C4) in parallel, 
a first zener diode (Z1) and a second resistor (R4) in series, 
a first diode (D6) and a third resistor (R6) in series, 
a second zener diode (Z3) in parallel, 
a fourth resistor (R11) and a second capacitor (C9) in series; and 
a fifth resistor (R16) having its one end coupled with a junction point between the fourth resistor (R11) and the second capacitor (C9).
3. A fluorescent lamp as claimed in claim 1, wherein the DC high voltage stabilizing circuit (2) comprises two serially connected diodes (D1, D2) and a capacitor (C24) having its one end coupled with a junction point between the two serially connected diodes (D1, D2).
4. A fluorescent lamp as claimed in claim 1, wherein the voltage signal detection and frequency control circuit (6) comprises an integrated circuit block (U1) and peripheral devices coupled correspondingly at respective pins of the integrated circuit block.
5. A fluorescent lamp as claimed in claim 4, wherein the integrated circuit block (U1) comprises a program by which output signal frequency of the integrated circuit block (U1) is changed correspondingly in response to a voltage value at a voltage signal detection pin of the integrated circuit block (U1).
ABSTRACT
Stepless Dimming Fluorescent Lamp and Ballast Thereof
A fluorescent lamp adapted for effecting stepless dimming with a regular SCR dimmer, comprising a filter and rectifier circuit (1), a DC high voltage stabilizing circuit (2), a voltage signal detection and frequency control circuit (6), a lamp load (4), a lamp current feedback circuit (5) and a voltage signal sampling circuit (3) thereby changing the power factor and luminous intensity of the lamp in accordance with the variation of the conduction phase angle of the silicon controlled rectifier dimmer. The present invention solves the discontinuity and instability issues in course of dimming operation and is particularly adapted for use in an integrated compact fluorescent lamp.
2008270173.tif 000004